(57)【要約】  ソケット及びプラグは、電気器具を電源配線で接続すると共に電気器具を支持体上に取り付けるために使用される。ソケットは、電源配線とソケットとの間の電気接続を確立する導電接触端子を有する内部キャビティを有する。プラグは、器具にしっかりと固定されてソケットに挿入される。プラグは、ソケット内の器具に電気的に接続され、導電端子と係合可能な雄コネクタを有する。器具を支持体上に解除可能に取り付ける解除可能なラッチは、プラグ及びソケットの組み合わせ体上に取り付けられる。ハブは、プラグ及びソケットを取り囲み、ハブの周囲に解除可能に接続可能な複数のセンサーモジュールを収納する。センサーモジュールの各々は、電子データを受信又は送信するように動作する電子デバイスを含む。【選択図】図１９
2020515000.tif 000002
【特許請求の範囲】
【請求項１】
電気器具を、電源配線に電気的に接続される１又は２以上の導電性の同心リング状接触端子を収容する内部キャビティを有するソケット本体を含む形式の電気ソケットに接続する装置であって、前記装置は、
前記電気器具にしっかりと固定されて前記ソケットへ挿入可能なプラグであって、前記プラグが、前記電気器具と前記電力配線との間の回路を確立するために、前記電気器具に電気的に接続され、前記ソケット内の前記１又は２以上の接触端子と結合可能な１又は２以上の雄コネクタを有するプラグと、
前記電気器具を支持体上に解除可能に取り付けるために、前記プラグ及び前記ソケットの組み合わせ体上に取り付けられた解除可能なラッチと、
を含み、前記装置は、
前記プラグを取り囲むハブと、
各々が電子データを受信又は送信するように動作する電子デバイスを含む、前記ハブの周囲に解除可能に接続可能な複数のセンサーモジュールと、
を備えることを特徴とする装置。
【請求項２】
前記ハブ内に配置された中央電子基板をさらに含み、前記複数のセンサーモジュールの各々は、前記センサーモジュールのそれぞれが前記ハブの周囲に接続された場合に前記中央電子基板に電気的に接続可能である、請求項１に記載の装置。
【請求項３】
前記複数のセンサーモジュールは、前記センサーモジュールが前記ハブの周囲に接続された場合に有線コネクタを使用して相互に電気的に接続可能である、請求項１に記載の装置。
【請求項４】
前記ハブは、円形であり、前記センサーモジュールは、前記ハブの半径に対応する弓形形状を有する回路基板を含む、請求項１に記載の装置。
【請求項５】
前記センサーモジュールのうちの少なくとも１つは、検知状態を無線で伝達する、請求項１から４のいずれかに記載の装置。
【請求項６】
前記センサーモジュールのうちの少なくとも１つは、信号を無線で受信する、請求項５に記載の装置。
【請求項７】
前記信号は、前記装置及び／又は関連の電気器具を制御するコマンド信号である、請求項６に記載の装置。
【請求項８】
前記コマンド信号は、前記検知状態から生じる、請求項７に記載の装置。
【請求項９】
検知モジュールは、ＲＦ、Ｗｉ−Ｆｉ、及びブルートゥースセンサーのうちの少なくとも１つを受信する送信センサーを含む、請求項１に記載の装置。
【請求項１０】
検知モジュールは、温度、湿度、煙、一酸化炭素、動き及び存在のうちの少なくとも１つを含む環境状態を検出する、請求項１に記載の装置。
【請求項１１】
検知モジュールは、防犯カメラ、ガラス破損検出器、動き／存在検出器、及び非常時用照明のうちの少なくとも１つを含む、請求項１に記載の装置。
【請求項１２】
センサーモジュールは、ハウジングを含む、請求項１に記載の装置。
【請求項１３】
前記ハウジングは、アクセス開口含む、請求項１２に記載の装置。
【請求項１４】
前記センサーモジュールは、磁石、フック、及びループファスナー、摺動蟻継ぎ、締まり嵌め、スナップ接続、１又は２以上のねじ、接着剤、又は、電気コネクタによって形成された機械的結合のうちの少なくとも１つを使用して前記ハブに解除可能に接続可能である、請求項１に記載の装置。
【請求項１５】
電気器具を電源配線に接続しかつ前記電気器具を支持体上に取り付ける装置であって、
内部に少なくとも１つの内部キャビティを有するソケット本体を含むソケットと、
前記電源配線と前記ソケットとの間の電気接続を確立するために、前記キャビティ内に配置された複数の導電性の同心リング状接触端子と、
前記電気器具にしっかりと固定され、前記ソケットへ挿入可能なプラグであって、前記プラグが、前記電気器具と前記電力配線との間の回路を確立するために、前記ソケットの前記キャビティ内の前記複数の接触端子と接続可能な複数の同心リング状接触端子を有する、プラグと、
前記電気器具を前記支持体上に解除可能に取り付けるための、前記プラグ及び前記ソケットの組み合わせ体上に取り付けられた解除可能なラッチと、
前記プラグ及び前記ソケットのうちの少なくとも一方に電気的に接続され、検知状態を無線で伝達すること及び信号を無線で受信することのうちの少なくとも一方のための検知ユニットと、
を備える、装置。
【請求項１６】
前記ソケットは、嵌合平面を定め、前記プラグは、前記嵌合平面上にある何らかの半径方向角度で前記プラグを前記ソケットに挿入することによって前記ソケットと結合可能である、請求項１５に記載の装置。
【発明の詳細な説明】
【技術分野】
【０００１】
関連出願の相互参照
本開示は、２０１７年３月５日出願の米国特許出願第６２／４６７，１７６号、２０１６年５月１２日出願の国際出願番号ＰＣＴ／ＵＳ２０１６／０３２１７０（国際公開第２０１６／１８３３５４号として公開）、２００７年３月２０日出願の米国特許第７,４６２,０６６号、２００４年１２月２日出願の米国特許第７,１９２,３０３号、及び２００１年１２月１２日出願の米国特許第６,９６２,４９８号、並びに、２００５年１２月２日出願の米国特許出願公開第２００９／０２８０６７３号、２０１５年５月１２日出願の米国特許仮出願第６２／１６０,５８５号、２０１６年３月１５日出願の米国特許仮出願第６２／３０８,７１８号、２０１７年６月５日出願の米国特許仮出願第６２／５１５,４６４号、２０１７年８月１０日出願の米国特許仮出願第６２／５４３,９１２号、２０１７年３月１０日出願の米国特許仮出願第６２，４７０，１７０号、及び２０１７年６月５日出願の米国特許仮出願第６２／５１５,４６４号に関し、これらの開示内容全体は、引用により本明細書に組み込まれる。
【０００２】
技術分野
本開示は、スマート電気コネクタ及び器具に関し、より詳細には、電気器具の電気コンセントでの工具なし接続及び取り付けを可能にする、電気プラグ及びソケット組み合わせ体に関し、コネクタ及び／又は器具は、電子センサー、制御装置、及び／又は通信装置を含む。
【背景技術】
【０００３】
１又は２以上のセンサー及びネットワークに接続された装置を含むことができる「スマートホーム環境」システムと呼ばれるいくつかの市販のシステムがある。これらのスマートホーム装置は、多くの場合、スマートホーム環境内で相互通信しかつ統合することができる。また、スマートホーム装置は、制御機能を分散するために、高容量で信頼性の高いコンピューター設備にアクセスするために、及び特定のスマートホームをより大規模なマルチホーム又は地域レベルのスマートホーム装置ベース集合体に統合するために、クラウド型スマートホーム制御及び／又はデータ処理システムと通信することもできる。
【０００４】
照明器具及びファンなどの電気器具及び電化製品を壁上又は天井上に組み込む技法は、通常、電気工事士の助け及び様々な工具及び専用金具の使用が必要である。また、このような器具を組み込む又は取り外す手順は、経験豊富な設置業者が行う場合でも比較的時間がかかる場合があり、危険を伴う場合もある。設置業者は、器具と電源配線との間の必須の電気接続を手作業で配線する必要があることに加えて、器具を所定の場所に支持又は吊り下げるための別個の機械的結合部を作る必要がある。
【発明の概要】
【課題を解決するための手段】
【０００５】
本開示の実施形態において、電気器具を、電源配線に電気的に接続される１又は２以上の導電性の同心リング状接触端子を収容する内部キャビティを有するソケット本体を含む形式の電気ソケットに接続する装置であって、装置は、器具にしっかりと固定されて、ソケットへ挿入可能なプラグであって、プラグが、電気器具と電力配線との間の回路を確立するために、電気器具に電気的に接続され、ソケット内の１又は２以上の接触端子と結合可能な１又は２以上の雄コネクタを有するプラグと、電気器具を支持体上に解除可能に取り付けるために、プラグ及びソケットの組み合わせ体上に取り付けられた解除可能なラッチとを含み、装置は、プラグを取り囲むハブと、各々が電子データを受信又は送信するように動作する電子デバイスを含む、ハブの周囲に解除可能に接続可能な複数のセンサーモジュールとを備える。
【０００６】
変形例において、装置は、ハブ内に配置された中央電子基板をさらに含み、複数のセンサーモジュールの各々は、センサーモジュールのそれぞれがハブの周囲に接続された場合に中央電子基板に電気的に接続可能であり、複数のセンサーモジュールは、該センサーモジュールがハブの周囲に接続された場合に有線コネクタを使用して相互に電気的に接続可能であり、及び／又は、ハブは、円形であり、センサーモジュールは、ハブの半径に対応する弓形形状を有する回路基板を含む。
【０００７】
他の変形例において、少なくとも１つのセンサーモジュールは、検知状態を無線で伝達し、少なくとも１つのセンサーモジュールは、信号を無線で受信し、信号は、装置及び／又は関連の電気器具を制御するコマンド信号であり、及び／又は、コマンド信号は、検知状態から生じる。
【０００８】
さらに他の変形例において、装置は検知モジュールをさらに含み、検知モジュールは、ＲＦ、Ｗｉ−Ｆｉ、及びブルートゥースセンサーのうちの少なくとも１つを受信する送信センサーを含み、検知モジュールは、温度、湿度、煙、一酸化炭素、動き及び存在のうちの少なくとも１つを含む環境状態を検出し、検知モジュールは、防犯カメラ、ガラス破損検出器、動き／存在検出器、及び非常時用照明のうちの少なくとも１つを含み、センサーモジュールは、ハウジングを含み、ハウジングは、アクセス開口を含み、及び／又は、センサーモジュールは、磁石、フック、及びループファスナー、摺動蟻継ぎ、締まり嵌め、スナップ接続、１又は２以上のねじ、接着剤、又は、電気コネクタによって形成された機械的結合のうちの少なくとも１つを使用してハブに解除可能に接続可能である。
【０００９】
本開示の別の実施形態において、電気器具を電源配線で接続しかつ電気器具を支持体上に取り付ける装置は、内部に少なくとも１つの内部キャビティを有するソケット本体を含むソケットと、電源配線とソケットとの間の電気接続を確立するために、キャビティ内に配置された複数の導電性の同心リング状接触端子と、電気器具にしっかりと固定され、ソケットへ挿入可能なプラグであって、プラグが、電気器具と電力配線との間の回路を確立するために、ソケットのキャビティ内の複数の接触端子と接続可能な複数の同心リング状接触端子を有する、プラグと、電気器具を支持体上に解除可能に取り付けるための、プラグ及びソケット組み合わせ体上に取り付けられた解除可能なラッチと、プラグ及びソケットのうちの少なくとも一方に電気的に接続された、検知状態を無線で伝達すること及び信号を無線で受信することのうちの少なくとも一方のための検知ユニットとを備える。
【００１０】
変形例において、ソケットは、嵌合平面を定め、プラグは、嵌合平面上にある任何らかの半径方向角度でプラグをソケットに挿入することによってソケットと結合可能である。
【００１１】
本開示及びその付随する利点及び特徴のより完全な理解は、添付図面を考慮して以下の詳細な説明を参照することで容易に理解できるはずである。
【図面の簡単な説明】
【００１２】
【図１】スマートクイック接続装置をもたらす、既存のクイック接続装置に後付けするためにクイック接続装置の既存のソケットに接続する前の検知ユニットを有する組み合わせソケット及びプラグ装置の斜視図である。
【図２】図１のクイック接続装置の組み合わせ装置及び既存のソケットの背面図である。
【図３】図１のクイック接続装置の組み合わせ装置及び既存のソケットの側面図である。
【図４】スマートクイック接続装置をもたらす、クイック接続装置の既存ソケットに接続された検知ユニットを有する組み合わせソケット及びプラグ装置の別の実施形態の斜視図である。
【図５】図４の組み合わせ装置の別の斜視図である。
【図６】スマートクイック接続装置をもたらす、クイック接続装置の既存ソケットに接続された検知ユニットを有する組み合わせソケット及びプラグ装置の別の実施形態の斜視図である。
【図７】スマートクイック接続装置をもたらす、クイック接続装置の既存ソケットに接続された検知ユニットを有するプラグ装置の実施形態の斜視図である。
【図８】検知ユニットを有するソケット及び接続箱の実施形態の斜視図である。
【図９】検知ユニットを有するソケット及び接続箱の実施形態の斜視図である。
【図１０】本開示による、中央ハブに接続された交換可能モジュールを含む分離可能な電気装置の正面図である。
【図１１】３つの追加の交換可能モジュールを含む図１の装置を示す。
【図１２】７つの追加の交換可能モジュールを含む図１の装置を示す。
【図１３】センサー及び吊りランプ器具を含む、家庭環境における本開示の装置を示す。
【図１４】背面及び正面（前面のみ見える）から延びるプラグを含む組み合わせ装置を示す。
【図１５】交換可能モジュールが取り外された図１０の装置の分解組立図である。
【図１６】各々の交換可能モジュールに関連した別個の電子基板に接続された中央電子基板及びハウジングを示す、図５の装置の分解組立図である。
【図１７】組み立てられてトップカバーが取り外された図５の装置を示す。
【図１８】本開示による、前面の電気器具を取り付けるためのソケットを含む中央ハブに接続された交換可能モジュールを含む、分離可能な電気装置の正面図である。
【図１９】トップカバー及び交換可能モジュールが取り外された、中央ハブ及び交換可能モジュールに関連した電子基板を示す、図１０の装置を示す。
【図２０】ハウジング及びプラグを電気接続箱に接続するストラップを含む、図１０の装置のハウジングを示す。
【図２１】ハウジング、ハブ、及び交換可能モジュールの電子基板、センサー、及びトップカバーを示す、図１０の装置の分解組立図である。
【図２２】交換可能モジュールが取り外された、図１０の装置の中央ハブを示す。
【図２３】交換可能モジュールが取り外された、図１６の装置の中央ハブを示す。
【図２４】交換可能モジュールが取り外され、交換可能モジュールのハウジングを示す、図２２の中央ハブを示す。
【図２５】交換可能モジュールが取り外され、交換可能モジュールのハウジングを示す、図２３の中央ハブを示す。
【図２６】交換可能モジュールに関連した端部コネクタ、並びにハブ及び交換可能モジュール用の着脱式カバーを示す、図２３の装置と類似する装置の分解組立図を示す。
【図２７】建物への組み込み時に信号ケーブルに取り付け可能であり、各々が着脱式モジュールに配置されて関連する、標準的な電気信号コネクタを含む、本開示の取り付け可能な電気装置を示す。
【図２８】建物への組み込み時に信号ケーブルに取り付け可能であり、各々が中央ハブに配置されて関連する、標準的な電気信号コネクタを含む、本開示の取り付け可能な電気装置を示す。
【図２９】本開示の取付け可能な電気装置の全て又は一部を収容する大きさ及び寸法の電気接続箱を示す。
【図３０】図２０の電気接続箱内に取り付けられた本開示の取付け可能な電気装置を示す。
【図３１】図３０の装置の分解組立図である。
【図３２】図３１の装置内に配置された回路基板の分解組立図である。
【図３３】ランプ円蓋内に取り付けられた本開示の取付け可能な電気装置の切取図である。
【図３４】図３３の実施形態と同様にコネクタを有するが、信号をルーター、エキステンダ、及び／又はモデムのような方法で中継するために、受信／入力装置、並びに送信／出力装置を含む、限定された構成要素セットを含む、本開示の取付け可能な電気装置を示す。
【図３５】吊りランプのランプ円蓋内に配置された図３４の装置を示す。
【図３６】天井に取付け可能なランプ内に配置された図３４の装置を示す。
【図３７】本開示の埋め込みソケットを収納するドーム形円蓋を含む、本開示の装置を示す。
【図３８】ソケットから延在するかしめスタイル取付け具を有するソケットを含む、図３７の装置を示す。
【図３９】ソケットを含み、本開示のソケットに関連した２つの同心回路基板を含む、本発明の電子機器組立体を示す。
【図４０】プラグを含み、本開示のソケットに関連した２つの同心の回路基板を含む、本発明の電子機器組立体を示す。
【図４１】本開示のプラグに関連した２つの同心回路基板を含み、同心の交換可能なプラグイン回路ユニットをさらに含む、本開示の電子機器組立体を示す。
【図４２】本開示のソケットに関連した２つの同心の回路基板を含み、同心の交換可能なプラグイン回路ユニットをさらに含む本開示の電子機器組立体を示す。
【図４３】本開示の埋め込みソケットを収納し、さらにスピーカを収納するドーム形円蓋を含む、本開示の装置を示す。
【図４４】本開示の埋め込みソケット、吊り下げ式ワイヤを含むソケットに挿入されたモジュール、又は代替的にアンテナを収容するドーム形円蓋を含む、本開示の装置を示す。
【図４５】センサーを収納する円蓋と、円蓋と同一平面で配置されるソケットとを含む、本開示の装置を示す。
【図４６】センサー又はスピーカを有する交換可能モジュールを含む、本開示の装置を示す。
【図４７】埋め込みソケットと、埋め込みソケットに挿入されたプラグに関連したランプを有するプラグを備え、着脱式モジュールに関連したセンサーをさらに含む、本開示の装置を示す。
【図４８】円蓋が取り外された状態の図４７の装置の正面図を示す。
【図４９】図４７の装置の分解組立図である。
【図５０】図４７と類似するが追加の交換可能モジュールを有する装置の分解組立図である。
【図５１】交換可能なセンサーモジュールを含み、埋め込みソケットに挿入されたランプを有するプラグをさらに含む、図３１と類似する装置の分解組立図である。
【図５２】スピーカ及びセンサーを含み、埋め込みソケットに挿入されたランプを有するプラグをさらに含む、装置の正面図である。
【発明を実施するための形態】
【００１３】
必要に応じて、本明細書では実施形態を開示するが、開示された実施形態は、単なる実施例であり、以下に説明するシステム及び方法は様々な形態で具現化することができることを理解されたい。従って、本明細書で開示される特定の構造的及び機能的な詳細は、限定的に解釈されるべきではなく、単に請求項の基礎として、及び、本発明の主題を実質的に何らかの適切に詳述された構造及び機能の中で様々な形で使用する当業者に教示するための代表的な基礎として解釈されるべきである。さらに、本発明で使用する用語及び表現は、限定的であることが意図されておらず、むしろ、理解できる概念の説明をもたらすことが意図されている。
【００１４】
用語「１つの（ａ）」又は「１つの（ａｎ）」、は、本明細書で使用される場合、１又は２以上と定義される。用語「複数（ｐｌｕｒａｌｉｔｙ）」は、本明細書で使用される場合、２又は３以上と定義される。用語「別の（ａｎｏｔｈｅｒ）」は、本明細書で使用される場合、少なくとも第２の又はそれ以上と定義される。用語「含む（including）」及び「有する(having)」は、本明細書で使用される場合、備えている（すなわち、開放型言語（ｏｐｅｎ  ｌａｎｇｕａｇｅ）））と定義される。用語「結合される（coupled）」という用語は、本明細書で使用される場合、「接続される(connected)」と定義されるが、必ずしも直接的ではなく、必ずしも機械的ではない。
【００１５】
本明細書の開示内容は、関連特許及び出願のセクションで特定された参考文献で上述されたような発明者の従来の業務に関し、これらの各々の開示内容全体は、引用によって本明細書に組み込まれる。
【００１６】
電気器具を取り付ける「クイック接続装置」は、プラグ及び嵌合ソケットの組み合わせ体を備える。この装置のプラグ及び嵌合ソケットは、電気器具と給電配線との電気接続を確立するとともに、電気器具を表面又は基部、典型的には壁、天井、又は床面で機械的に支持するように機能する。本明細書で使用される場合、用語「器具」又は「電気器具」は、照明器具、天井扇、テレビカメラ、セキュリティ装置などの何らかの器具又は電化製品、又は、電気配線によって供給された電気によって給電される何らかの他の装置を意味し、器具を支持又は吊す機械的結合部を必要とする。プラグは、電気器具にしっかり固定されるが、ソケットは、器具が取り付けられる表面（例えば、壁、天井、又は床）に、又は、電気接続箱に固定される。例えば、プラグ及び嵌合ソケットの構造、機能、及び動作は、引用により本明細書に組み込まれる特許及び出願に既に詳述されている。
【００１７】
本開示の「スマートクイック接続装置」は、一般的に、接続を行う従来の能力に加えてさらなる機能を有するコネクタと定義されている。スマートクイック接続装置は、検知状態を無線で伝達する検知ユニットを含むことができる。代替的に又は付加的に、スマートクイック接続装置は、信号を無線で受け取る検知ユニットを含むことができる。信号は、スマートクイック接続装置及び／又は関連した電気器具を制御するコマンド信号とすることができる。コマンド信号は、検知状態に無関係とすること又は検知状態の結果とすることができる。
【００１８】
例えば、ＰＣＴ／ＵＳ２０１６／０３２１７０（’１７０公報）として公開された組み込まれた参考文献を参照すると、電気器具を取り付けるクイック接続装置２０は、検知ユニット２６を伴うプラグ２２及び嵌合ソケット２４の組み合わせ体を備える。プラグ２０及び２２の構造及び機能の詳細な説明は、’１７０公報及び他の組み込まれた参考文献に記載されているので本明細書では詳細に説明しない。’１７０公報の場合と同様に、１又は２以上のセンサー又は他の受信／入力又は送信／出力電子又は電気装置４８、５０（以下「センサー」）は、プラグ２２又はソケット２４のいずれかと関連付けられている。本開示において、これらのセンサーは、モジュール式センサーモジュール６２６を含む組立体６００内で交換可能であるように構成され、センサーの様々な構成が可能である。
【００１９】
装置２０のプラグ２２及び嵌合ソケット２４は、電気器具と給電配線との電気的接続を確立し、器具を表面又は基部、典型的には壁、天井又は床面上で機械的に支持するように機能する。本明細書で使用される場合、用語「器具」又は「電気器具」は、照明器具、天井扇、テレビカメラ、セキュリティ装置などの何らかの器具又は電化製品、又は、電気配線によって供給された電気によって給電され、器具を支持又は吊すために機械的接続を必要とする何らかの他の装置を意味する。プラグ２２は、電気器具（図示せず）にしっかり固定されるが、ソケット２４は、器具が取り付けられる表面（例えば、壁、天井、又は床）に、又は、電気接続箱に固定される。基部にソケット２４を使用するという選択は、危険な電気信号を伝達する導電体が凹部に配置され、人が接触できないことを可能にすることをさらに理解されたい。しかしながら、専ら低電圧／低電力信号が使用される場合、プラグ及びソケットの位置を逆にするか又は任意に選択することができる。
【００２０】
全体的に図１〜図３を参照すると、電気器具を取り付ける「従来式」クイック接続装置の「従来式」ソケット２２は、通常「従来式」プラグを受ける。その代わりに及び本開示によれば、組み合わせ装置２３は、ソケット２２と嵌合するように構成及び寸法決めされている。組み合わせ装置２３は、この組み合わせ装置２３をソケット２２に解除可能に機械的に接続する、「従来式」プラグに見られるようなスピンドル組立体２２を含む。また、組み合わせ装置２３は、非導電材料で形成された本体２５含み、第１の側面２７上で本体２５に一体成型された同心の雄コネクタリング（図示せず、ただし「従来式」プラグに見られるものと類似）を有し、コネクタリングの間には互いに電気絶縁するための十分な半径方向の間隔がある。雄コネクタリングの直径及び間隔は、ソケット２２の対応する雌凹部と整列可能で、この凹部内に受け入れ可能であるようになっている。引用により組み込まれた特許公報に詳説されるように、この整列によって、組み合わせ装置２３は、ソケット２２に電気的に接続される。
【００２１】
スピンドル組立体２２に機械的に結合されている１又は２以上の押しボタン３６は、指又は工具を使用してスピンドル組立体２２を作動させる手段を提供する。
【００２２】
ソケット２２から電気を受け取る組み合わせ装置２３は、検知ユニット２６に電気的に接続される。検知ユニット２６は、１又は２以上のセンサー４８、５０を備える。センサー４８は、信号を受信する受信側センサーである。受信することができる信号の非制限的な例を以下に説明する。センサー５０は、信号を送信する送信側センサーである。送信することができる信号の非制限的な例も以下に説明する。センサー４８、５０は、用途に応じて、検知ユニット２６の何らかの表面上に取り付けることができる。
【００２３】
センサー４８、５０に応じて、検知ユニット２６は、例えば、ＲＦ、Ｗｉ−Ｆｉ又はブルートゥースを利用する携帯式リモコンを用いて装置２３の操作を可能にすることができる。同様に、センサー４８、５０に応じて、温度センサー、湿度センサー、煙センサー及びＣＯセンサーなどの環境状態、及び／又は動き／存在検出を判定することができる。この点に関して、検知ユニット２６は、セキュリティシステムの一部として使用することができ、センサー４８、５０は、防犯カメラ（モーション起動あり又はなし）、ガラス破損検出器、動き／存在検出器、及び／又は（バッテリーバックアップ付きの）非常時用照明器である。
【００２４】
組み合わせ装置２３に装着して組み合わせ装置２３と一体化することが意図された検知ユニット２６用のさまざまな異なる回路基板が開発されており、各回路基板は、使用目的に応じて様々な総量の回路及び機能を有する。例示的な回路及び概念は、一般的にどの基板が正確にどの機能を含むかの区別なしに、引用により組み込まれた特許公報に説明されている。
【００２５】
本体２５の第２の側面３５は、同心リング状の雌凹部又はスロット３７を含む。これらのスロットは、本体２５の第１の側面２７上で雄コネクタリングに電気的に接続され、電気器具に取り付けられたプラグ（図示せず）上の雄コネクタリングを嵌合可能に受け入れて器具との電気接続部を確立するように構成されている。
【００２６】
上記の開示から明らかなように、組み合わせ装置２３は、電気器具と給電配線との電気接続を確立するとともに、器具を表面又は基部、典型的には壁、天井、又は床面上で機械的に支持するように機能する。
【００２７】
図４及び図５は、「従来式」ソケットに機械的及び電気的に接続された組み合わせ装置４２の別の実施形態を示す。組み合わせ装置４２は、検知ユニット２６をオン又はオフにするスイッチ４４を含む。代替的に又は付加的に、スイッチ４４は、組み合わせ装置４２に対する全ての電力をオン又はオフすることができる。検知ユニット２６（及び／又は組み合わせ装置４２）は、例えば携帯電話のアプリを介して遠隔制御することができるので、スイッチ４４は、オーバーライドとして機能する。
【００２８】
図６は、組み合わせ装置５２に接続されたＬＥＤ器具５４を有する組み合わせ装置５２の別の実施形態を示す。上述したように、本開示は、本開示の組み合わせ装置のいずれかに接続されたＬＥＤ器具５４以外の器具も企図している。
【００２９】
図７は、スマートクイック接続装置プラグ６２の実施形態を示す。プラグ６２に関して、器具は、ねじ付き内径部６４を介して機械的に結合される。器具配線は、ねじ付き内径部６４を通り、プラグ６２に電気的に接続される。プラグ６２は、「従来式」ソケットに機械的及び電気的に接続される。
【００３０】
図８〜図９は、ソケット７２及び標準的な電気接続箱７４の分解組立図を示す。多種多様な装置をソケット７２（又は、本明細書で開示する組み合わせ装置及びプラグのいずれか）に接続することができ、装置としては、固定式又はＰＴＺ（パンチルトズーム）カメラ、ファン、ビデオプロジェクタ、照光可能な垂れ幕、映像ディスプレイ、シャンデリア、カメラハウジング、煙検知器、テレビドアホン、個々の又は複数の頭部を有する壁取り付け用燭台、玩具及び移動物体、非常時用照明、屋外照明、出口標識、装飾照明、スマートフォン、タブレット又は他のコンピューティングデバイス用のインターフェース、本明細書で記載の検知ユニット、又は、本明細書に記載の他の装置又はセンサーのいずれかを挙げることができる。
【００３１】
検知ユニット２６は、本明細書で説明するような検知機能、通信機能、送信機能、及び他の機能を提供するように機能することができる。これらの機能としては、例えば、ブルートゥース情報通信；例えば、ハブ、ルーター、アクセスポイント又はリレーの機能を伴うＷｉＦｉ通信；例えば、ＨＶＡＣのシステムを制御するか、又は、アラーム又はモニタリングシステム用入力を提供するために使用可能な、動きを検出する動きセンサー、もしくは人間又は動物の存在を検出する赤外線センサー；サーモスタット；通信用又はアラーム又はモニタリングシステム用カメラ；スピーカ；煙検知器；火災報知器；動き、赤外線、音声、画像検出、画像認識又は空気圧など、様々な適切なセンサーのいずれかを使用する占有検出器；例えば、美術品保護するか又は漏れ又は水侵入を識別する湿度センサー；及び、侵入を検出するか又は効率を向上させる電力消費量メータ；及び、煙及び／又は大気環境センサーのいずれか又は全てを挙げることができる。本明細書において、簡潔のために、用語「センサー」は、上記の機能の１又は２以上を集合的に実行することができる何らかのデバイスを指すために使用され、従って、本明細書における「センサー」は、状態を検知し、作動し、送信し、受信し、送受信することはでき、さもなければ上記の機能のいずれかを実行するように構成されることを理解されたい。
【００３２】
検知ユニット２６を装備した本開示の装置は、ＧＥ及び他の会社によって作られたような「スマートホーム」アーキテクチャ及び動作の一部を形成することができる。従って、検知ユニット２６の電子基板は、電子プロセッサ、メモリー、記憶装置及びこのような機能に関連したプログラミング及び遠隔操作を可能にすることができる他の構成要素を含む、電子回路を備えることができる。遠隔操作は、本開示の装置の機能を制御する中央プログラミング又は制御プログラムを含むことができる。これは、例えば、ウェブサイトからの制御又はスマートフォン又はタブレットで実行されるアプリからの制御を含むことができる。代替的に、携帯ＴＶ／ＤＶＲスタイル遠隔制御装置を使用することができる。
【００３３】
本開示の装置は、１又は２以上のセンサーを含むことができ、これは、インテリジェントサーモスタット、インテリジェント危険検出ユニット、インテリジェント通路インターフェースデバイス、スマート壁状（wall-like）スイッチを含むスマートスイッチ、スマート壁コンセントインターフェースなどのスマートユーティリティインターフェース又は他のサービスとのインターフェース、及び冷蔵庫、テレビ、洗浄機、乾燥装置、照明、オーディオシステム、インターホンシステム、機械式アクチュエータ、壁用エアコン、プール暖房ユニット、灌漑システム、及び多くの他の形式のインテリジェント電化製品及びシステムを含む多種多様なインテリジェント、マルチ検知、ネットワーク接続式電化製品のいずれか又は全てとして機能することができるものを挙げることができる。
【００３４】
本開示の装置としては、１又は２以上の異なる形式のセンサー、１又は２以上の制御装置及び／又はアクチュエータ、及び１又は２以上の通信インターフェースを挙げることができ、この通信インターフェースは、スマートホーム装置を、局所スマートホーム環境内の他のスマートホーム装置、ルーター、ブリッジ、及びハブ、様々な異なる形式の局所コンピュータシステム、並びにスマートホーム装置がクラウドコンピューティングサーバー及び他の遠隔計算システムと通信することができるインターネットに接続する。データ通信は、Ｗｉ−Ｆｉ、ＺｉｇＢｅｅ、６ＬｏＷＰＡＮなどの無線プロトコル、ＣＡＴ６イーサネット、ＨｏｍｅＰｌｕｇ及び他のこのような有線プロトコルを含む様々なタイプの有線プロトコル、並びに様々な他の形式の通信プロトコル及び技術を含む、多種多様な異なる形式の通信媒体及びプロトコルのいずれかを使用してセンサー４８、５０及び基板５２によって実行することができる。本開示の各装置は、互いに一体化すること、又は、公知のいわゆる「スマートホーム」装置と一体化することができ、それ自体、本開示のスマートホーム装置及び他の装置用のリピータなどの中間通信装置として動作することができる。本開示の装置を含むスマートホーム環境は、通信インターフェース及びプロセッサーベースの制御装置を持っていない様々な異なる形式の既存の家電及び装置をさらに含むことができる。
【００３５】
本開示の様々な装置に組み込むことができる入力センサー４８の部分的なリストとしては、以下の例が挙げられるが、これらに限定されない。
ａ．ゼロ電圧交差：接続された負荷に供給された電力を制御するためにいつトライアック／ＩＧＢＴをトリガーすべきか判定するために使用、
ｂ．通信（ＷｉＦｉ、ブルートゥース、ｎＲＦ２４）：着信コマンドを出力装置及びＷｉ−Ｆｉリピータ遠隔制御から無線で受信するのに使用、
ｃ．マイク：音声による実行コマンドを含む、部屋占有検出又は音声認識に使用、
ｄ．動き検出：部屋占有検出又は侵入に使用、及びアラームを出すか又は報知するために使用、
ｅ．温度センサー及び湿度センサー：暖房／冷房変更を行うために使用、
ｆ．一酸化炭素（ＣＯ）、プロパン及び他の燃料、ラドン又は任意の他のガス又は揮発性元素の存在に応答する検出器を含む煙及び／又はガス検定器、これは、アラームを送るか又は提供するために使用することができ、緊急措置／警告措置を講じるために使用することができる、
ｇ．ガラス破損検出器：セキュリティ装置を制御するために使用、
ｈ．危険物検出器、
ｉ．調光装置、
ｊ．例えば、手振り又は拍手又は他の音を含む、動き又は音を検出するセンサー、これは光源レベル又は他の環境パラメータを変更するために使用することができる。
【００３６】
出力センサー５０の部分的なリストとしては、以下が挙げられるが以下に限定されない。
Ａ．トライアック／ＩＧＢＴ：ファン及び照明を制御するために使用、
Ｂ．通信（ＷｉＦｉ、ブルートゥース、ｎＲＦ２４）：ステータスを送信する、又は緊急事態を伝える、又は情報を中継するために使用、
ｃ）防犯カメラ：例えば、３６０度カメラを含め、様々な入力源によってトリガーされた場合に画像を捕捉及び転送するために使用、及び
Ｄ．非常バックアップ照明：緊急事態において最小限の照明を行うために使用。
【００３７】
これらの出力センサー５０は、接続された入力源４８に基づいて、又は、本開示の装置に関連した通信回路６３２（図３４）から受信したリモートコマンドによってアクティブにすることができる。一部の例では、センサー４８／５０は、入出力装置として動作する。加えて、これ以降に開発される可能性があり、本開示のモジュール式センサーモジュール６２６へ組み込むことができる他の入力装置、出力装置又は入出力装置が存在すること、又は以降に開発されること、及び上記リストがこのような例の一部のみを含むことを理解されたい。
【００３８】
ハブ７００はプラグ２２（図２１に見える）に取り付けられ、図１２に示す実施形態において、ハブ７００は、解除押しボタン３６、随意的な診断又は周辺電気コネクタ７０２、及び随意的な表示灯７０４、又は音響トランスデューサー（図示せず）を露出する。ハブ７００は、取り付けられたセンサーモジュール６２６と共に、床、壁又は天井などの表面にしっかり固定することができる。図３４に示す実施形態において、組み込まれた参考文献で説明されているように、電気ケーブルは、中央位置から出て、ハブ７００から吊り下げられた照明器具８００に進む。この構成によって、センサー４８、５０は、天井に近接して配置され、これによって、好都合には検知のための最大範囲又は空間又は大きな領域が露出する。これは、例えば、ＷｉＦｉ又はブルートゥース送信、カメラによる画像捕捉又は動き検知に特に有利である。照明器具８００を支持する組立体６００を使用することによって、センサー４８／５０及び関連する電子構成要素のための、及び本明細書の他の場所で説明するハブ７００の電子構成要素のための付随した電源供給がもたらされる。
【００３９】
ハブ７００を含む組立体６００は、一般家庭又は会社又は美的感覚が重要である他の場所での設置に魅力的な表面仕上げの外側ハウジング６２０を備えることができる。プラスチック又は他の合成材料、金属、革、又は木などの天然材料を含む任意の公知の材料を組立体６００の外面に使用することができる。図示する実施形態は円形であるが、長円形、多角形、矩形、又任意の何らかの形状を与えることができる。
【００４０】
図１６〜図１８は、組立体６００の上側を示し、中央基板７１０に接続されたプラグ２２及び外側ハウジング６２０を示す。トップカバー６２２は、中央基板７１０及び電子センサー基板６３０を取り囲む。この実施形態において、中央基板７１０は円形であり、センサー基板６３０は、中央基板７１０の周囲の周りに配置されている。ハウジング６２０は、中央ハブハウジング７０６及び一連のモジュールハウジング６２８を形成し、その各々は、電子センサー基板を独立して収容及び支持する大きさである。中央ハブハウジング７０６は、中央基板７１０及び関連のコネクタと共に、中央ハブ７００を形成する。モジュールハウジング６２８は、センサー基板６３０及び関連のコネクタと共に、モジュール６２６を形成する。図１２〜図１４から分かるように、任意数のセンサーモジュール６２６を中央ハブ７００に結合することができる。図１２〜図１４には、それぞれ５、８及び１２のモジュール組立体６００が示されている。
【００４１】
センサー基板６３０のうちの少なくとも１つは、中央基板７１０上の嵌合コネクタ６１４に接続する電気コネクタ６１２を有する。例示する実施形態において、各センサー基板６３０には、コネクタ６１２が設けられている。コネクタ６１２は、例えば、ＵＳＢ  Ｃコネクタとすることができるが、多種多様なコネクタの１又は２以上を、サイズ要件及び電力要件、必要なポート数、耐久性、コスト、及び他の検討事項に従って使用することができる。ノッチつまり開口６１６を容器６２６内に設けて、コネクタ６１２をハウジング６２０内に維持しながら接続を形成することができる。中央通路７０８によって、中央基板７１０との接触を防止しながら解除ボタン３６を押すことができる。コネクタ開口７１４は、中央基板７１０に取り付けられたコネクタ７０２へのアクセスを可能にするために設けられている。センサー４８／５０は、センサー基板６３０又はハウジング６２０に取り付けることができ、必要に応じてワイヤで接続される。センサー４８／５０を保護するためにレンズ又は他の保護カバーをハウジング６２０上に置くことができる。
【００４２】
中央基板７１０は、コネクタ７０２を経由して又は無線手段によってセンサー基板と、従ってセンサーモジュール６２６と協働して、センサーモジュール６２６に欠けている機能性、例えば、電力又は信号処理をもたらすか、又は、情報をセンサーモジュール６２６からネットワークに中継することができる。このようにして、取り付けられたセンサーモジュール６２６間の冗長機能を回避することができ、代わりに、各々は中央基板７１０によって提供されるサービスに依存する。加えて、中央基板７１０は、センサーモジュール６２６間で共有することができる高価な構成要素を含むことができ、その結果、組立体６００の全費用が軽減される。中央基板７１０は、例えば、組み込まれた参考文献における制御機能回路１５を含むことができる。実施形態において、中央基板７１０は設けられず、センサーモジュール６２６は、独立して又は互いと協働して機能することができる。
【００４３】
コネクタ６１２及び７０２には、電力、データ、又は、電力及びデータの伝送を可能にするのに十分な接点を備えることができる。例えば、一部のモジュール６２６は、電力のみを必要とする場合があり、データを単独で送信及び／又は受信することができる。あるいは、一部のモジュール６２６は、電源を収容することができ、データを中央基板７１０に通信するだけで十分である。最後に、一部のモジュールは、いかなる目的に対してもコネクタ６１２を使用しないか、又は、機械的接続のみに使用する場合がある。実施形態において、中央基板７１０はイーサネット又はＵＳＢなどの、標準的なネットワーク通信回路を含み、各コネクタ７０２は、ネットワーク用ポートを形成する。このようにして、任意のセンサーモジュール６２６を任意のコネクタ７０２に接続することができる。他の実施形態において、特定のコネクタ７０２は、１又は２以上の指定されたモジュール６２６の形式に使用することができるだけである。コネクタ７０２は、このような指定されたモジュール６２６の形式との接続のみを許可するように、適宜サイズ決めされるか又は形作ることができる。
【００４４】
図２６において、センサーモジュール６２６は、半径方向に配置されたコネクタ６１２Ａ、６１２Ｂによって相互接続できることが分かる。このようにして、センサーモジュール６２６は、接続されたセンサーモジュール６２６の全体的な機能性を増強させるか、又は、データ又は電力を共有するように相互に協働することができる。このようにして、中央基板７１０の機能性は、モジュールの形で提供することができ、モジュールは、センサー４８／５０を含む場合又は含まない場合があり、機能性は、必要に応じて追加することができる。
【００４５】
さらに図２６に示すように、中央ハブハウジング７０６及び／又はモジュールハウジング６２８は、それぞれ、開口部又は取り外し可能な表面７０６Ａ、６２８Ａを有するように構成することができ、それによって、中央ハブハウジング７０６又はモジュールハウジング６２８の内部にアクセスすることができる。これは、例えば、バッテリを交換すること、又は基板７１０、６３０を設定又は交換することを含む、特定の機能を実行する場合に、これらがどのように取り付けられたかによって決まる、センサーモジュール６２６を取り除くか又は組立体６００を取り外すことを不要にすることができるので好都合である。
【００４６】
モジュール６２６は、例えば、磁石、フック及びループファスナー、摺動蟻継ぎ接続、締まり嵌め、スナップ接続、１又は２以上のねじ、接着剤、又はコネクタ６１２と７０２との間に形成された機械的結合を使用することを含む、任意の公知の手段によってハブ７００に取り付けることができる。
【００４７】
ここで図２０〜図２３を参照すると、ソケット付き又はモジュール式組立体６００Ａは、組立体６００に関して説明したのと同じ構成要素を収容するが、プラグ２２は、ソケット２４と置き換えられ、ソケット２４は、ハウジング６２０Ａにしっかり固定されているか又は建物の電気接続箱に接続するストラップを含む。後者の実施形態において、ソケット２４は、最初は、組み込まれた参考文献で説明されているように電気接続箱に接続することができ、その後、モジュール式ハウジング６２０Ａは、ソケット２４に接続される。あるいは、図２０に示すように、ハウジング６２０Ａ及びソケット２４は、例えば、ストラップ２３２を使用して、電気接続箱又は他の取り付け点に同時に接続される。例えば、中央基板７１０は、ソケット２４及びハブハウジング６２８に対する機械的結合が行われた後で、電気接続箱内でソケット２４と導体との間で電気接続が行われた後にハブ７００内に組み付けることができる。
【００４８】
構造体に取り付けられるか又は配置されると、プラグ２２を含む装置は、組み込まれた参考文献で説明されているようにソケット２４に接続することができる。他の構成要素は、組立体６００に関して説明した通りであるが、図２０〜図２３の実施形態において、トップカバー６２２Ａは、ソケット２４の挿入端部に隣接して配置される。このため、開口６２４は、センサー４８／５０に必要とされるようにトップカバー６２２／６２２Ａに設けられている。図示のように、センサー４８／５０は、トップカバー６２２Ａ又はセンサー基板６３０に取り付けることができる。
【００４９】
各センサーモジュール６２６は、特定のタスク又は複数のタスク専用とすることができ、１又は２以上のセンサー４８／５０を収容することができる。１つの実施形態において、センサーモジュールは、機能セット、例えば、メディアコンテンツを特定のソースから組立体６００（６００は、本明細書で６００／６００Ａを集合的に指す）の領域内の１又は２以上の出力装置、例えば、オーディオシステム又はテレビジョンに配信することをサポートするように構成される。例えば、モジュール６２６は、例えば、ＴＶが組立体６００から吊り下げられて接続されている場合、Ｒｏｋｕ又はＣＨＲＯＭＥＣＡＳＴ装置のように機能することができる。同様に、センサーモジュール６２６は、ＡＬＥＸＡ又は「ＯＫ  Ｇｏｏｇｌｅ」音声検索などのサービスを模倣する又は提供することができる。
【００５０】
センサーモジュールは、Ｍｉｃｒｏｓｏｆｔ  Ｗｉｎｄｏｗｓ、Ａｐｐｌｅ  ｉＯＳ又はＯＳ  Ｘ又はＬｉｎｕｘなどの一般的に普及しているコンピュータオペレーティングシステムと協働するように構成することができる。別の実施形態において、例えば、センサーモジュール６２６は、特定の製品のリクエストを別の装置から又は話し言葉によって中継する、ＡＭＡＺＯＮなどの特定の購買サービスと協働する。ソフトウェア開発キット（ＳＤＫ）は、中央基板７１０又はいずれかのセンサー基板６３０に設けることができるので、開発担当者は、どちらか一方の基板の機能を利用するアプリケーションを生成することができる。
【００５１】
図２７〜図２９は、モジュール６００（又は６００Ａ、本明細書では集合的に６００）の裏側／プラグ側の１つの実施形態を示し、例えば、図２４〜図２５、図３１に示すような電気接続箱２００／２００Ａ、又は他の接続箱形式の中に設けられたプラグ付き延長部を有する回路との様々な有線接続を行うための１又は２以上の供給コネクタ７１２Ａ〜Ｅが設けられている。図２９において、供給コネクタ７１２は、モジュール６２６内に配置され、図３０において、供給コネクタ７１２は、中央ハブ７００内に配置される。従って、図２９の実施形態において、モジュールは、所定のコネクタ７１２を有する所望の構成を生成するために置き換えることができる。あるいは、図３０の実施形態において、中央ハブは、全てのサポートされた接続形式向けに構成することができ、モジュール６２６は、所望の機能をもたらすために必要に応じて設けることができる。
【００５２】
図２７又は図２８の実施形態において、提供された種々のコネクタ７１２形式の数は、モジュール６２６又はハブ７００によって提供される能力、又は接続箱２００において建物内で利用できる接続形式に対応することを理解されたい。コネクタ７１２Ａ〜Ｅは、普及している押し込み式／ねじ留め式の標準化されたコネクタを描写する。具体的には、図２７〜図２８において、コネクタ７１２Ａ〜Ｅは、それぞれ、以下の接続形式、すなわち、ＬＣ光ファイバ、ＲＪ１１、ＳＣ光ファイバ、ＲＪ−４５、及び同軸ケーブルに対応する。これらの接続形式は、全て存在するとは限らず、又は他の接続形式を提供することができる。このような標準化されたコネクタが含まれない場合、組立体６００を建物の１又は２以上の配線回路に接続するために、ねじ式又押し込み式端子、リード線、又は、任意の他の形式のコネクタを設けることができる。
【００５３】
組立体６００を、図２９の接続箱２００Ａの取り付けブラケット２０４などの接続箱２００の中のねじ付き嵌合開口に接続するために、取付けねじが設けられている。ねじは、図２８に示されていないが、同様に設けることができ、又は他の取り付け金具を設けることができ、例えば、外側ハウジング６２０を接続箱２００に螺合可能に係合することができ、又は、別個のストラップ又は取り付けブラケットを設けることができる。ケーブル用開口６４２を設けることができ、電源ケーブル又は他のケーブルは、組立体６００を貫通させて、組立体６００に吊り下げられた外部装置又は組立体６００に結合された外部装置に送ることができる。
【００５４】
図２９〜図３０を参照すると、電気接続箱２００は、壁、天井、テーブル又は他の表面に取り付けることができる。組立体６００は、上方で、特に一部又は全部が接続箱２００の中に取り付けることができ、後者の場合、取付け面の平面に対して面一又はほぼ面一の表面を形成する。接続箱２００は、複数の接続箱コネクタ開口２０２を備え、それによって、様々な信号及び電源ケーブルを接続箱２００に取り込んで機械的に結合して固定することができる。１又は２以上の取り付けブラケット２０４を設けて、組立体６００を、正しい高さに配置してケーブル及び接続部のための空間が残るように接続箱２００に固定することができる。実施形態において、接続箱２００は、高電力接続部を低電力接続部から分離するために分割することができる。１又は２以上の取り付け開口２０６を設けることができ、接続箱２００を建物の壁、床、又は天井にもしくは備品物又は他の構造体に取り付けることができる。
【００５５】
図３１〜図３２において、モジュール４２６は、ハブ７００から分離し、必要に応じて交換するか又はハブ７００上の別の場所に移動することができ、この例において、コネクタ６１２及び半径方向のコネクタ６１２Ａを介して接続されることが分かるであろう。ハウジング６２８／７０６が取り外された図３２において、コネクタ７１２は、センサー／通電中の基板６３０に対して電気接続状態で取り付けることができ、ハウジング６２８／７０６の貫通開口部を通ることができることが分かるであろう。
【００５６】
本明細書で他の箇所で説明したように、組立体６００を使用して、ＷｉＦｉ、ブルートゥース、又は他の無線プロトコルによって、もしくは有線プロトコルによって信号を送信することを含めて、情報を中継することができる。検討したように、購買コンテンツを含むメディアコンテンツなどのメディア信号だけでなく、センサー信号をこのようにして転送することができる。図３４〜図３６は、特に、センサーデータの送信を伴って又は伴うことなく、情報の転送を本開示の組立体６００を使用して好都合に行うことができる様々な方法を示す。図３４に示すように、組立体６００Ｂは、中央基板７１０を含み、この中央基板は、コネクタ７１２、及び随意的にランプ又は他の目的のための電源ケーブルを含むが、この実施形態において、例えば、特に電力の唯一の消費者が中央基板７１０となる場合、さもなければ総電力要求量が適切なパラメータ内にある場合にパワー・オーバー・イーサネットを利用することができる。
【００５７】
一般的に、図３４〜図３６に示すように、組立体６００Ｂは、検知モジュール６２６及びセンサー２６を含むこと、又は受信機４８及び送信機５０を使用してネットワークトラフィックを転送する役割のみを果たすことができる。本明細書で説明するような他の機能が提供されるか否かを問わず、組立体６００Ｂは、受信機４８及び送信機５０を使用して、ＷｉＦｉルーター又はエキステンダ、もしくは他のルーター又はモデム、ハブ、スマートスイッチ、又は任意の他の電子情報リレー又はルーターとして機能することを含む、任意の形式のデータ送信機能を提供することができることを理解されたい。
【００５８】
図２７〜図２８の組立体６００の前面は、図１８〜図２２及び２４の実施形態のようにソケット２４及び随意的にセンサー開口６２４を備えることができ、本明細書の他の箇所で説明したように別の器具又は装置に接続される。
【００５９】
本明細書の他の箇所で説明したように、組立体６００を接続箱２００に対してねじ結合するのとは対照的に、組立体６００は、プラグ２２を備えることができ、ソケット２４を備える建物に組み付けることができる。例えば、ソケット／プラグ２４／２２を使用して高電力接続を形成することができ、コネクタ７１２を使用して信号接続又は低電接続を形成することができる。
【００６０】
図３５において、吊りランプ６４６Ａは、組立体６００Ｂをカバーする円蓋を含むが、円蓋は、所望の無線信号の伝送を有意に遮断しない材料及び方法で作られている。ランプ部６５０は、センサーなしの従来のランプ構成要素以外の全てを含むか又は含まない場合がある。図３６において、ランプ部分６５０Ａは、中央ハウジング７０６に直接取り付けられている。解除ボタン３６Ａはロッドを含み、このロッドは、さらに無線アンテナとして機能することができる。同様に、図３５のケーブル６４４は、アンテナとして機能することができる、もしくはアンテナリード線は、ケーブル６４４の中に埋め込むことができる。さらに、アンテナは、ランプ部分６５０の中に配置することができる。ルーター／エキステンダ／モデム機能をランプの中に設けることは好都合とすることができ、その理由は、ランプは、屋内の中央に配置されるか又は部屋の方々に均一に分散され、天井に配置されることが多く、これらの全ては最大の収束及び最小の干渉をもたらからである。
【００６１】
図３７を参照すると、ソケット２４Ａは、ドーム形の円蓋６４８Ａの中に埋め込まれている。図３８に示すように、本明細書で説明する様々なプラグ２２は、カシメ取付け具６５２を有するプラグ２２Ａを含め、ソケット２４に挿入することができる。代替的に、別個のプラグ２２が設けられ、カシメ取付け具６５２は、円蓋６４８Ａに接続されてプラグ２２に電気的に接続されている。
【００６２】
図３９には本開示の装置を示されており、この装置は、ソケット２４、プラグ２２、又は組み合わせ体２３（ソケットが図示されている）のいずれか、及び２つの同心リング状回路基板６５４Ａ、６５４Ｂを含み、２つの同心リング状回路基板６５４Ａ、６５４Ｂは、相互接続すること、さもなければ互いと相互運用接続状態で配置することができる。基板６５４Ａ、６５４Ｂのいずれか一方又は両方は、他の同じ形状の基板と置き換えることができ、他の同じ形状の基板は、全て、例えば、検知モジュール６２６、通信回路６３２、電源回路、又は本明細書に記載の機能をもたらす何らかの他の回路を含む、様々な回路基板に関して全て本明細書に記載の様々な機能を提供する。２つの同心基板が示されているが、より多くの又はより少ない同心基板を備え得ることを理解されたい。
【００６３】
図４０は、図３９に関して説明したような装置であるが、モジュール式基板６３０をさらに含む。１つの同心リング状基板６５４Ａ、６５４Ｂのみが示されているが、２又は３以上のこのような基板を設けることができることを理解されたい。さらに、様々な（本明細書で定義するような）センサー６３０を保持することに加えて、基板６３０は、本明細書に記載の様々な電子機能をサポートする何らかの電子デバイスを含むことができる。
【００６４】
図４１〜図４２は、図３９〜図４０に関して説明したように、それぞれ、基板６５４Ａ、６５４Ｂ、６３０を収容するソケット２４及びプラグ２２を示す。しかしながら、図４１〜図４２の実施形態は、複数の交換可能な同心リング６５４Ａ、６５４Ｂ、並びに交換可能モジュール６３０の両方を含む。
【００６５】
図４３において、ドーム形円蓋６４８Ｂは、スピーカ並びに他のセンサー６３０を含む。
【００６６】
図４４は、電灯コード又はアンテナ６５６などの吊り下げ式デバイスを含むプラグ２２を備える埋め込みソケット２０を収納するドーム形円蓋６４８Ｃを示す。
【００６７】
図４５は、円蓋ハウジングセンサー及び円蓋と同一平面に配置されるソケットを示す。図４６において、本開示の装置は、センサーを有する交換可能モジュール及び交換可能なスピーカを有する他のモジュールを含む。
【００６８】
図４７において、埋め込みソケットは、関連のランプを含むプラグを受け入れている。この装置は、着脱式モジュールに関連したセンサーをさらに含む、装置は、図４８において正面図（円蓋が取り外された状態）で、図４９において分解組立図で示されている。図５０は、図４７と類似の別の交換可能モジュールを有する装置の分解組立図を示す。
【００６９】
図５１は、交換可能なセンサーモジュールを含む、図３１と類似の装置の分解組立図を示し、埋め込みソケットに挿入されたランプを有するプラグをさらに含む。
【００７０】
図５２において、本開示の装置は、スピーカ及びセンサーを含み、埋め込みソケットに挿入されたランプを有するプラグをさらに含む。
【００７１】
本明細書で引用される全ての参考文献は、引用によりその全体が明白に組み入れられる。本開示は、本明細書において特に示され上述されたものに限定されるものではないことが、当業者には理解されるであろう。さらに、上記にそうでないことが述べられていない限り、添付図面の全ては縮尺通りに描かれていないことに留意されたい。本開示に対する多くの異なる特徴があり、これらの特徴は、一緒に又は別個に用いることができると考えられる。従って、本開示は、特徴のいずれかの特定の組み合わせにも、又は本開示の特定の用途にも限定されるものではない。さらに、本開示の趣旨及び範囲内の変形及び修正が、開示に関与する当業者には思い浮かぶであろうことを理解されたい。従って、当業者であれば、本開示の範囲及び趣旨の範囲内の本明細書で述べられる開示から容易に得ることができる全ての好都合の修正は、本開示の更に別の実施形態として含まれる。
【符号の説明】
【００７２】
１５  制御回路
２０  クイック接続装置
２２  プラグ
２２Ａ  かしめ部を含むプラグ
２２Ｂ  吊り下げ式ケーブルを含むプラグ
２２Ｃ  ランプを含むプラグ
２３  組み合わせプラグ及びソケット
２４  ソケット
２４Ａ  埋め込みソケット
２５  非導電体
２６  検知ユニット
２７  本体２５の第１の側面
３５  本体２５の第２の側面
３６  解除押しボタン
４２  組み合わせ装置
４４  スイッチ
４８  受信／入力装置（センサー）
５０  送信／出力装置（センサー）
５２  組み合わせ装置
５４  ＬＥＤ器具
６２  装置プラグ
６４  ねじ付き内径部
７２  ソケット
７４  接続箱
２００、２００Ａ  電気接続箱
２０２  コネクタ開口
２０４  取り付けブラケット
２０６  取り付け開口
６００  組立体
６００Ａ  モジュール式組立体
６１２  電気コネクタ
６１２Ａ／６１２Ｂ  半径方向電気コネクタ
６１４  嵌合電気コネクタ
６１６  ノッチ／開口
６２０  外側ハウジング
６２０Ａ  モジュール式ハウジング
６２２  トップカバー
６２２Ａ  ソケット付きトップカバー
６２４  センサー開口
６２６  検知／能動モジュール
６２８  モジュールハウジング
６２８Ａ  着脱式モジュール面
６３０  センサー基板
６３２  通信回路
６４０  取り付けねじ
６４２  ケーブル用開口
６４４  電源ケーブル
６４６Ａ／Ｂ  ランプ
６４８、６４８Ａ〜Ｃ  円蓋
６５０／６５０Ａ  ランプ部分
６５２  かしめ取付け具
６５４Ａ〜Ｂ  同心基板
６５６  アンテナ
７００  ハブ
７０２  周辺電気コネクタ
７０４  表示灯
７０６  中央ハブハウジング
７０６Ａ  着脱式中央面
７０８  中央通路
７１０  中央基板
７１２  供給コネクタ
７１４  コネクタ開口
７１６  スピーカモジュール
７１６Ａ  スピーカ
８００  照明器具
【図１】
2020515000.tif 000003
【図２】
2020515000.tif 000004
【図３】
2020515000.tif 000005
【図４】
2020515000.tif 000006
【図５】
2020515000.tif 000007
【図６】
2020515000.tif 000008
【図７】
2020515000.tif 000009
【図８】
2020515000.tif 000010
【図９】
2020515000.tif 000011
【図１０】
2020515000.tif 000012
【図１１】
2020515000.tif 000013
【図１２】
2020515000.tif 000014
【図１３】
2020515000.tif 000015
【図１４】
2020515000.tif 000016
【図１５】
2020515000.tif 000017
【図１６】
2020515000.tif 000018
【図１７】
2020515000.tif 000019
【図１８】
2020515000.tif 000020
【図１９】
2020515000.tif 000021
【図２０】
2020515000.tif 000022
【図２１】
2020515000.tif 000023
【図２２】
2020515000.tif 000024
【図２３】
2020515000.tif 000025
【図２４】
2020515000.tif 000026
【図２５】
2020515000.tif 000027
【図２６】
2020515000.tif 000028
【図２７】
2020515000.tif 000029
【図２８】
2020515000.tif 000030
【図２９】
2020515000.tif 000031
【図３０】
2020515000.tif 000032
【図３１】
2020515000.tif 000033
【図３２】
2020515000.tif 000034
【図３３】
2020515000.tif 000035
【図３４】
2020515000.tif 000036
【図３５】
2020515000.tif 000037
【図３６】
2020515000.tif 000038
【図３７】
2020515000.tif 000039
【図３８】
2020515000.tif 000040
【図３９】
2020515000.tif 000041
【図４０】
2020515000.tif 000042
【図４１】
2020515000.tif 000043
【図４２】
2020515000.tif 000044
【図４３】
2020515000.tif 000045
【図４４】
2020515000.tif 000046
【図４５】
2020515000.tif 000047
【図４６】
2020515000.tif 000048
【図４７】
2020515000.tif 000049
【図４８】
2020515000.tif 000050
【図４９】
2020515000.tif 000051
【図５０】
2020515000.tif 000052
【図５１】
2020515000.tif 000053
【図５２】
2020515000.tif 000054
【国際調査報告】
2020515000.tif 000055